(57)【要約】【課題】発光効率を高くすることができる画像形成ユニットおよび画像投射装置を提供する。【解決手段】第１の原色の光を出射する第１光源１と、第２の原色と第３の原色を含む光を出射する第２光源２と、色時分割手段６と、色時分割手段６からの光を分割する第１光分割手段９と、分割された一方の光を用いて投射画像を生成する第１光変調素子１１と、分割された他方の光を用いて投射画像を生成する第２光変調素子１２と、を備え、色時分割手段６は、前記第１から第３の原色の光のうち、何れかの原色の光を常に透過し、それ以外の原色の光を時分割された光とし、第１光変調素子１１は、色時分割手段６で常に透過する原色の光が入射し、第２光変調素子１２は、それ以外の原色の光が入射することを特徴とする。【選択図】図１
2019174676.tif 000002
【特許請求の範囲】
【請求項１】
第１の原色の光を出射する第１光源と、
第２の原色と第３の原色を含む光を出射する第２光源と、
前記第１光源および前記第２光源からの光を順次透過又は反射する色時分割手段と、
前記色時分割手段からの光を分割する第１光分割手段と、
前記第１光分割手段で分割された一方の光を用いて投射画像を生成する第１光変調素子と、
前記第１光分割手段で分割された他方の光を用いて投射画像を生成する第２光変調素子と、を備え、
前記色時分割手段は、前記第１から第３の原色の光のうち、何れかの原色の光を常に透過し、それ以外の原色の光を時分割された光とし、
前記第１光変調素子は、前記色時分割手段で常に透過する原色の光が入射し、
前記第２光変調素子は、それ以外の原色の光が入射する
ことを特徴とする画像形成ユニット。
【請求項２】
前記第１光分割手段は、
前記色時分割手段で常に透過する原色の光と、それ以外の原色の光と、に分割する
ことを特徴とする請求項１に記載の画像形成ユニット。
【請求項３】
前記第１光源は、青色光の光源であり、
前記第２光源は、黄色光の光源である
ことを特徴とする請求項１または請求項２に記載の画像形成ユニット。
【請求項４】
前記色時分割手段は、複数のセグメントを有するからカラーホイールである
ことを特徴とする請求項１乃至請求項３のいずれか１項に記載の画像形成ユニット。
【請求項５】
前記カラーホイールのセグメントは、
シアン、マゼンダ、イエローのうち、何れか２色を含んで構成される
ことを特徴とする請求項４に記載の画像形成ユニット。
【請求項６】
前記カラーホイールのセグメントは、
光を透過する透明セグメントを有する
ことを特徴とする請求項４または請求項５に記載の画像形成ユニット。
【請求項７】
前記色時分割手段は、複数のセグメントを有するからカラーホイールであり、
前記カラーホイールは、少なくともイエローのセグメントを有し、
前記第１光源から青色光を出射した場合、前記イエローのセグメントに入射する時間帯において、前記第１光源を消灯する
ことを特徴とする請求項３に記載の画像形成ユニット。
【請求項８】
前記カラーホイールの特性を変更する手段を備える
ことを特徴とする請求項４乃至請求項７のいずれか１項に記載の画像形成ユニット。
【請求項９】
前記第１光変調素子から出射した光および前記第２光変調素子から出射した光が入射する第２光分割手段を備え、
前記第１光分割手段と前記第２光分割手段とは特性が異なる
ことを特徴とする請求項１乃至請求項８のいずれか１項に記載の画像形成ユニット。
【請求項１０】
請求項１乃至請求項９のいずれか１項に記載の画像形成ユニットを備える
ことを特徴とする画像投射装置。
【発明の詳細な説明】
【技術分野】
【０００１】
本発明は、画像形成ユニットおよび画像投射装置に関する。
【背景技術】
【０００２】
特許文献１には、青色光の光源と、蛍光体ホイールと、プリズムと、２枚のＤＭＤ（digital mirror device）と、を備える映像表示装置が開示されている。光源からの青色光は、蛍光体ホイールにより、時分割された青色光および黄色光となって出射される。また、蛍光体ホイールから出射された黄色光は、プリズムにより赤色光と緑色光に分割される。そして、一方のＤＭＤには、蛍光体ホイールから出射された青色光およびプリズムにより分割された緑色光が導かれる。また、他方のＤＭＤには、プリズムにより分割された赤色光が導かれる。
【発明の概要】
【発明が解決しようとする課題】
【０００３】
しかしながら、特許文献１に開示された手法では、時分割された青色光および黄色光が出射される構成となっているため、一方のＤＭＤに青色光が導かれる際には、他方のＤＭＤには光が導かれていない状態、即ち、他方のＤＭＤが動作しない状態となっていた。このため、ＤＭＤにより投影する光が制限され、投射画像の輝度を上げることできず、画像投射装置の発光効率を高くすることができないという課題がある。
【０００４】
よって、本発明は、発光効率を高くすることができる画像形成ユニットおよび画像投射装置を提供することを目的とする。
【課題を解決するための手段】
【０００５】
上記の目的を達成するため、本発明に係る画像形成ユニットは、第１の原色の光を出射する第１光源と、第２の原色と第３の原色を含む光を出射する第２光源と、前記第１光源および前記第２光源からの光を順次透過又は反射する色時分割手段と、前記色時分割手段からの光を分割する第１光分割手段と、前記第１光分割手段で分割された一方の光を用いて投射画像を生成する第１光変調素子と、前記第１光分割手段で分割された他方の光を用いて投射画像を生成する第２光変調素子と、を備え、前記色時分割手段は、前記第１から第３の原色の光のうち、何れかの原色の光を常に透過し、それ以外の原色の光を時分割された光とし、前記第１光変調素子は、前記色時分割手段で常に透過する原色の光が入射し、前記第２光変調素子は、それ以外の原色の光が入射することを特徴とする。
【発明の効果】
【０００６】
本発明によれば、発光効率を高くすることができる画像形成ユニットおよび画像投射装置を提供することができる。
【図面の簡単な説明】
【０００７】
【図１】第１実施形態に係るプロジェクタの一例の構成図である。
【図２】第１実施形態におけるカラーホイールの一例を示す平面図である。
【図３】カラーホイールが有するフィルタの透過率スペクトルの一例である。
【図４】第１実施形態におけるダイクロイックフィルタの透過率スペクトルの一例である。
【図５】第１実施形態における光変調素子に入射する光の時系列を説明する図である。
【図６】第２実施形態におけるカラーホイールの一例を示す平面図である。
【図７】第２実施形態における光変調素子に入射する光の時系列を説明する図である。
【図８】第３実施形態におけるカラーホイールの一例を示す平面図である。
【図９】第３実施形態における光変調素子に入射する光の時系列を説明する図である。
【図１０】第４実施形態におけるカラーホイールの一例を示す平面図である。
【図１１】第４実施形態における光変調素子に入射する光の時系列を説明する図である。
【図１２】第５実施形態におけるカラーホイールの一例を示す平面図である。
【図１３】第６実施形態におけるダイクロイックフィルタの透過率スペクトルの一例である。
【発明を実施するための形態】
【０００８】
本発明を実施するための形態について、以下に説明する。尚、同じ部材等については、同一の符号を付して説明を省略する。
【０００９】
≪第１実施形態≫
第１実施形態に係るプロジェクタ（画像投射装置）１００の一例について図１を用いて説明する。図１は、第１実施形態に係るプロジェクタ１００の一例の構成図である。
【００１０】
プロジェクタ１００は、光学エンジン部２０と、制御装置３０と、を備えている。なお、光学エンジン部２０および制御装置３０は、画像形成ユニットを構成する。光学エンジン部２０は、第１光源１と、第２光源２と、レンズ３と、光源側ダイクロイックフィルタ４と、レンズ５と、カラーホイール（色時分割手段）６と、ライトトンネル７と、レンズ８と、第１ダイクロイックフィルタ（第１光分割手段）９と、プリズム１０と、第１光変調素子１１と、第２光変調素子１２と、第２ダイクロイックフィルタ（第２光分割手段）１３と、投射レンズ１４と、を備えている。また、制御装置３０は、プロジェクタ１００の各部の動作を制御する。
【００１１】
第１光源１および第２光源２は、ＬＥＤ（light emitting diode）やＬＤ（laser diode）などの固体光源を用いて構成される。第１光源１は、第１の原色の光の波長域を有する光を出射する。第２光源２は、第２の原色の光の波長域および第３の原色の光の波長域を含む光を出射する。なお、以下の説明において、第１の原色の光を青色光とし、第２の原色の光を赤色光とし、第３の原色の光を緑色光として説明する。この場合、第１光源１は青色光を出射し、第２光源２は赤色光と緑色光を含んだ混色である黄色光を出射する。第１光源１および第２光源２から出射した光は、レンズ３を通って、光源側ダイクロイックフィルタ４に入射する。
【００１２】
光源側ダイクロイックフィルタ４は、青色光を透過し、それ以外の光（赤色光と緑色光の混色である黄色光）を反射する特性を有している。これにより、第１光源１から光源側ダイクロイックフィルタ４に入射した青色光は、光源側ダイクロイックフィルタ４を透過し、レンズ５を通り、カラーホイール６に入射する。また、第２光源２から光源側ダイクロイックフィルタ４に入射した黄色光は、光源側ダイクロイックフィルタ４で反射し、レンズ５を通り、カラーホイール６に入射する。
【００１３】
図２は、第１実施形態におけるカラーホイール６の一例を示す平面図である。カラーホイール６は、複数のセグメント６１，６２を有している。なお、カラーホイール６は回転しており、光が入射するセグメント６１，６２が順次に切り替わっていく。第１実施形態におけるカラーホイール６は、マゼンダフィルタセグメント６１と、シアンフィルタセグメント６２と、を有している。
【００１４】
ここで、カラーホイール６が有するフィルタの特性について説明する。図３は、カラーホイール６が有するフィルタの透過率スペクトルの一例である。図３に示すように、マゼンダフィルタは、波長が約５００ｎｍから約６００ｎｍの間の光を全て反射し、その他の波長の光を透過させる。また、シアンフィルタは、約６００ｎｍより短波長の光を透過させ、約６００ｎｍより長波長の光を反射させる。なお、後述するイエローフィルタは、約５００ｎｍより長波長の光を透過させ、約５００ｎｍより短波長の光を反射させる。即ち、第１から第３の原色の光について、マゼンダフィルタは、青色光および赤色光を透過するが緑色光は反射する。また、シアンフィルタは、青色光および緑色光を透過するが、赤色光は反射する。イエローフィルタは、赤色光および緑色光を透過するが、青色光は反射する。
【００１５】
このようなカラーホイール６の構成により、第１光源１から出射した青色光は、どのセグメント６１，６２に入射するかによらず、常にカラーホイール６を透過する。一方、第２光源２から出射した黄色光がマゼンダフィルタセグメント６１に入射する場合、赤色光のみがカラーホイール６を透過する。また、黄色光がシアンフィルタセグメント６２に入射する場合、緑色光のみがカラーホイール６を透過する。よって、カラーホイール６から青色光は常に出射され、赤色光および緑色光は時分割で出射される。
【００１６】
このように、カラーホイール６は、第１光源１および第２光源２からの光を順次透過または反射して、第１から第３の原色の光（赤色光、緑色光、青色光）のうち何れかの原色の光（青色光）を常に透過し、それ以外の原色の光（赤色光、緑色光）を時分割された光とする色時分割手段を構成する。なお、色時分割手段は、回転するカラーホイール６に限られるものではなく、例えば、長方形の板状部材に複数のセグメントが形成され、板状部材が往復運動することにより光が入射するセグメントが切り替わる構成であってもよい。
【００１７】
カラーホイール６を透過した光は、光を均一にするライトトンネル７、レンズ８を通り、第１ダイクロイックフィルタ９に入射する。
【００１８】
図４は、第１実施形態におけるダイクロイックフィルタの透過率スペクトルの一例である。第１ダイクロイックフィルタ９および第２ダイクロイックフィルタ１３は、図４に示すように、青色光を透過し、それ以外の光（赤色光、緑色光）を反射する特性を有している。
【００１９】
このため、青色光は、第１ダイクロイックフィルタ９を透過し、プリズム１０を通過して、第１光変調素子１１に入射する。第１光変調素子１１にて青色光の投射画像が作られ、第１光変調素子１１で反射した光が再びプリズム１０を通り、第２ダイクロイックフィルタ１３を透過して、投射レンズ１４によりスクリーンに投射される。
【００２０】
一方、赤色光および緑色光は、第１ダイクロイックフィルタ９で反射し、プリズム１０を通過して、第２光変調素子１２に入射する。第２光変調素子１２にて時分割で赤色光の投射画像、緑色光の投射画像が作られ、第２光変調素子１２で反射した光が再びプリズム１０を通り、第２ダイクロイックフィルタ１３で反射して、投射レンズ１４によりスクリーンに投射される。
【００２１】
なお、第１ダイクロイックフィルタ９は、光の波長域によって光を分割する光分割手段を構成する。なお、光分割手段は、ダイクロイックフィルタに限られるものではなく、ダイクロイックミラーを用いてもよく、光の波長域によって透過・反射することにより光を分割することが可能であれば適用することができる。第２ダイクロイックフィルタ１０についても同様である。
【００２２】
図５は、第１実施形態における光変調素子１１，１２に入射する光の時系列を説明する図である。２つの光源１，２から出射する光について、カラーホイール６および第１ダイクロイックフィルタ９を用いることにより、第１光変調素子１１には、カラーホイール６で常に透過する青色光（Ｂ）が常に入射する。一方、第２光変調素子１２には、赤色光（Ｒ）および緑色光（Ｇ）が、時分割で入射する。
【００２３】
以上、第１実施形態に係るプロジェクタ１００によれば、第１光変調素子１１および第２光変調素子１２には常に光が入射する構成となり、いずれかの光変調素子１１，１２が画像光を投射しない状態をなくすことができるので、投射画像の輝度を上げ、プロジェクタ１００の発光効率を高くすることができる。また、第１光変調素子１１により青色光が常にスクリーンに投射されるので、青色の純色輝度比を高くすることができる。
【００２４】
≪第２実施形態≫
次に、第２実施形態に係るプロジェクタ（画像投射装置）の一例について説明する。第２実施形態は、第１実施形態と比較して、カラーホイール６の構成が異なっている。
【００２５】
図６は、第２実施形態におけるカラーホイール６Ａの一例を示す平面図である。第２実施形態におけるカラーホイール６Ａは、光を透過する透明セグメント６４と、マゼンダフィルタセグメント６１と、シアンフィルタセグメント６２と、を有している。
【００２６】
このようなカラーホイール６Ａの構成により、第１光源１から出射した青色光は、どのセグメント６１，６２，６４に入射するかによらず、常にカラーホイール６Ａを透過する。一方、第２光源２から出射した黄色光が透明セグメント６４に入射する場合、そのまま黄色光がカラーホイール６Ａを透過する。また、マゼンダフィルタセグメント６１に入射する場合、赤色光のみがカラーホイール６Ａを透過する。また、黄色光がシアンフィルタセグメント６２に入射する場合、緑色光のみがカラーホイール６Ａを透過する。よって、カラーホイール６Ａから青色光は常に出射され、黄色光、赤色光および緑色光は時分割で出射される。
【００２７】
また、第２実施形態における第１ダイクロイックフィルタ９および第２ダイクロイックフィルタ１３は、第１実施形態と同様に、青色光を透過し、それ以外の光（赤色光、緑色光、黄色光）を反射する特性を有している。
【００２８】
図７は、第２実施形態における光変調素子１１，１２に入射する光の時系列を説明する図である。２つの光源１，２から出射する光について、カラーホイール６Ａおよび第１ダイクロイックフィルタ９を用いることにより、第１光変調素子１１には、カラーホイール６で常に透過する青色光（Ｂ）が常に入射する。一方、第２光変調素子１２には、黄色光（Ｙ）、赤色光（Ｒ）および緑色光（Ｇ）が、時分割で入射する。
【００２９】
以上、第２実施形態に係るプロジェクタによれば、第１実施形態と同様に、投射画像の輝度を上げ、プロジェクタの発光効率を高くすることができる。また、青色の純色輝度比を高くすることができる。また、第２実施形態に係るプロジェクタによれば、視感度の高い黄色光がスクリーンに投射されるので、プロジェクタの全光束を高くすることができる。
【００３０】
≪第３実施形態≫
次に、第３実施形態に係るプロジェクタ（画像投射装置）の一例について説明する。第３実施形態は、第１実施形態と比較して、カラーホイール６および第１ダイクロイックフィルタ９、第２ダイクロイックフィルタ１３の構成が異なっている。
【００３１】
図８は、第３実施形態におけるカラーホイール６Ｂの一例を示す平面図である。第３実施形態におけるカラーホイール６Ｂは、マゼンダフィルタセグメント６１と、イエローフィルタセグメント６３と、を有している。
【００３２】
このようなカラーホイール６Ｂの構成により、第２光源２から出射した黄色光のうち赤色光は、どのセグメント６１，６３に入射するかによらず、常にカラーホイール６Ｂを透過する。一方、第２光源２から出射した黄色光のうち緑色光は、イエローフィルタセグメント６３に入射する場合はカラーホイール６Ｂを透過するが、マゼンダフィルタセグメント６１に入射する場合はカラーホイール６Ｂを透過しない。また、第１光源１から出射した青色光は、マゼンダフィルタセグメント６１に入射する場合はカラーホイール６Ｂを透過するが、イエローフィルタセグメント６３に入射する場合はカラーホイール６Ｂを透過しない。よって、カラーホイール６Ｂから赤色光は常に出射され、青色光および緑色光は時分割で出射される。
【００３３】
また、第３実施形態における第１ダイクロイックフィルタ９および第２ダイクロイックフィルタ１３は、第１実施形態とは異なり、赤色光を透過し、それ以外の光（青色光、緑色光）を反射する特性を有している。
【００３４】
図９は、第３実施形態における光変調素子１１，１２に入射する光の時系列を説明する図である。２つの光源１，２から出射する光について、カラーホイール６Ｂおよび赤色光を透過しそれ以外の光を反射する第１ダイクロイックフィルタ９を用いることにより、第１光変調素子１１には、カラーホイール６Ｂで常に透過する赤色光（Ｒ）が常に入射する。一方、第２光変調素子１２には、青色光（Ｂ）および緑色光（Ｇ）が、時分割で入射する。
【００３５】
以上、第３実施形態に係るプロジェクタによれば、第１実施形態と同様に、投射画像の輝度を上げ、プロジェクタの発光効率を高くすることができる。また、第１光変調素子１１により赤色光が常にスクリーンに投射されるので、赤色の純色輝度比を高くすることができる。
【００３６】
なお、図９に示す時間帯ｔにおいて、第１光源１から出射した青色光はイエローフィルタセグメント６３で反射されるため、いずれの光変調素子１１，１２にも入射せず、スクリーンにも投射されない。このため、制御装置３０は、第１光源１を制御して、時間帯ｔにおいて第１光源１を消灯するようにしてもよい。これにより、消費電力を削減し、発熱量を低減することができる。
【００３７】
≪第４実施形態≫
次に、第４実施形態に係るプロジェクタ（画像投射装置）の一例について説明する。第４実施形態は、第１実施形態と比較して、カラーホイール６および第１ダイクロイックフィルタ９、第２ダイクロイックフィルタ１３の構成が異なっている。
【００３８】
図１０は、第４実施形態におけるカラーホイール６Ｃの一例を示す平面図である。第４実施形態におけるカラーホイール６Ｃは、シアンフィルタセグメント６２と、イエローフィルタセグメント６３と、を有している。
【００３９】
このようなカラーホイール６Ｃの構成により、第２光源２から出射した黄色光のうち緑色光は、どのセグメント６２，６３に入射するかによらず、常にカラーホイール６Ｃを透過する。一方、第２光源２から出射した黄色光のうち赤色光は、イエローフィルタセグメント６３に入射する場合はカラーホイール６Ｃを透過するが、シアンフィルタセグメント６２に入射する場合はカラーホイール６Ｃを透過しない。また、第１光源１から出射した青色光は、シアンフィルタセグメント６２に入射する場合はカラーホイール６Ｃを透過するが、イエローフィルタセグメント６３に入射する場合はカラーホイール６Ｃを透過しない。よって、カラーホイール６Ｃから緑色光は常に出射され、青色光および赤色光は時分割で出射される。
【００４０】
また、第４実施形態における第１ダイクロイックフィルタ９および第２ダイクロイックフィルタ１３は、第１実施形態とは異なり、緑色光を透過し、それ以外の光（青色光、赤色光）を反射する特性を有している。
【００４１】
図１１は、第４実施形態における光変調素子１１，１２に入射する光の時系列を説明する図である。２つの光源１，２から出射する光について、カラーホイール６Ｃおよび緑色光を透過しそれ以外の光を反射する第１ダイクロイックフィルタ９を用いることにより、第１光変調素子１１には、カラーホイール６Ｃで常に透過する緑色光（Ｇ）が常に入射する。一方、第２光変調素子１２には、青色光（Ｂ）および赤色光（Ｒ）が、時分割で入射する。
【００４２】
以上、第４実施形態に係るプロジェクタによれば、第１実施形態と同様に、投射画像の輝度を上げ、プロジェクタの発光効率を高くすることができる。また、第１光変調素子１１により緑色光が常にスクリーンに投射されるので、緑色の純色輝度比を高くすることができる。また、視感度の高い緑色光が常にスクリーンに投射されるので、プロジェクタの全光束を高くすることができる。
【００４３】
なお、第３実施形態と同様に、図１１に示す時間帯ｔにおいて、第１光源１から出射した青色光はイエローフィルタセグメント６３で反射されるため、いずれの光変調素子１１，１２にも入射せず、スクリーンにも投射されない。このため、制御装置３０は、第１光源１を制御して、時間帯ｔにおいて第１光源１を消灯するようにしてもよい。これにより、消費電力を削減し、発熱量を低減することができる。
【００４４】
≪第５実施形態≫
次に、第５実施形態に係るプロジェクタ（画像投射装置）の一例について説明する。第５実施形態は、第１実施形態と比較して、カラーホイール６の構成が異なっている。
【００４５】
図１２は、第５実施形態におけるカラーホイール６Ｄの一例を示す平面図である。第５実施形態におけるカラーホイール６Ｄは、内周側において、第１実施形態のカラーホイール６と同様に、マゼンダフィルタセグメント６１ａと、シアンフィルタセグメント６２ａと、を有している。また、外周側において、第２実施形態のカラーホイール６Ａと同様に、透明セグメント６４ｂと、マゼンダフィルタセグメント６１ｂと、シアンフィルタセグメント６２ｂと、を有している。
【００４６】
また、第５実施形態に係る光学エンジン部２０は、カラーホイール６Ｄにおいて、光源１，２からの光がカラーホイール６Ｄに入射する際の入射位置を変更する図示しないカラーホイール移動装置を備えている。カラーホイール移動装置は、光源１，２からの光路に対して、カラーホイール６Ｄの回転中心軸を近づけるようにカラーホイール６Ｄを移動させることで、カラーホイール６Ｄの内周側に光を入射させることができる。また、カラーホイール移動装置は、光源１，２からの光路に対して、カラーホイール６Ｄの回転中心軸を遠ざけるようにカラーホイール６Ｄを移動させることで、カラーホイール６Ｄの外周側に光を入射させることができる。
【００４７】
以上、第５実施形態に係るプロジェクタによれば、制御装置３０がカラーホイール移動装置を制御することにより、カラーホイール６Ｄに光が入射する位置を変更して、カラーホイール６Ｄの特性を変更することができる。これにより、例えば映像モードの変更に合わせて、スクリーンに投射される光の状態を変更することができる。
【００４８】
なお、図１２においては、第１実施形態のカラーホイール６の特性と第２実施形態のカラーホイール６Ａの特性を切り替えることが可能な例を示したが、これに限られるものではなく、第１実施形態のカラーホイール６の特性と第３実施形態のカラーホイール６Ｂの特性を切り替えることができるようにしてもよく、第１実施形態のカラーホイール６の特性と第４実施形態のカラーホイール６Ｄの特性を切り替えることができるようにしてもよい。この場合、第１ダイクロイックフィルタ９および第２ダイクロイックフィルタ１３についても、同様に、その特性を切り替えることができるように構成される。これにより、例えば映像モードの変更に合わせて、純色輝度比が高くなる色を変更することができる。
【００４９】
≪変形例≫
なお、第１から第５実施形態において、第１ダイクロイックフィルタ９、第２ダイクロイックフィルタ１３は、カラーホイール６で常に透過する原色の光を透過し、それ以外の光（カラーホイール６から時分割で出射する原色の光）を反射する特性を有するものとして説明したが、これに限られるものではない。例えば、カラーホイール６で常に透過する原色の光を反射し、それ以外の光（カラーホイール６から時分割で出射する原色の光）を透過する特性を有していてもよい。この構成の場合、第２光変調素子１２にカラーホイール６で常に透過する原色の光（第１実施形態の例では青色光）のみを入射させ、第１光変調素子１１にそれ以外の光（第１実施形態の例では赤色光と緑色光）入射させることができる。即ち、第１ダイクロイックフィルタ９は、カラーホイール６で常に透過する原色の光と、それ以外の光（カラーホイール６から時分割で出射する原色の光）と、を分割する特性を有していればよい。
【００５０】
また、第１ダイクロイックフィルタ９と第２ダイクロイックフィルタ１３は、特性が異なっていてもよい。図１３は、第１ダイクロイックフィルタ９と第２ダイクロイックフィルタ１３の透過率スペクトルの一例である。ここでは、第１実施形態の構成において、第１ダイクロイックフィルタ９と第２ダイクロイックフィルタ１３が図１３に示す特性を輸しているものとして説明する。
【００５１】
図１３の例において、第１ダイクロイックフィルタ９は、約５００ｎｍより短波長の光を透過させ、約５００ｎｍより長波長の光を反射させる。これに対し、第２ダイクロイックフィルタ１３は、約５２０ｎｍより短波長の光を透過させ、約５２０ｎｍより長波長の光を反射させる。このような構成により、緑色光のうち約５２０ｎｍより短波長のものは、第２ダイクロイックフィルタ１３を透過するため投射レンズ１４に入射せず、緑色光のうち約５２０ｎｍより長波長のものが投射レンズ１４に入射する。即ち、緑色光は、カラーホイール６のシアンフィルタセグメント６２の特性により長波長成分を除去し、第２ダイクロイックフィルタ１３の特性により短波長成分を除去することができるので、スクリーンに投射する緑色光の色度を調整することができる。
【００５２】
また、図示は省略するが、第２ダイクロイックフィルタ１３に長波長域を透過する特性を持たせることにより、スクリーンに投射する赤色光の長波長成分を除去して、色度を調整することができる。また、他のカラーホイール６Ａ〜６Ｄの構成においても、適宜、第１ダイクロイックフィルタ９と第２ダイクロイックフィルタ１３の特性が異なっていてもよい。
【００５３】
以上、プロジェクタ１００の実施形態等について説明したが、本発明は上記実施形態等に限定されるものではなく、特許請求の範囲に記載された本発明の要旨の範囲内において、種々の変形、改良が可能である。
【符号の説明】
【００５４】
１００      プロジェクタ
２０        光学エンジン部
３０        制御装置
１          第１光源
２          第２光源
４          光源側ダイクロイックフィルタ
６          カラーホイール（色時分割手段）
９          第１ダイクロイックフィルタ（光分割手段）
１１        第１光変調素子
１２        第２光変調素子
１３        第２ダイクロイックフィルタ（光分割手段）
１４        投射レンズ
６１        マゼンダフィルタセグメント
６２        シアンフィルタセグメント
６３        イエローフィルタセグメント
６４        透明セグメント
【先行技術文献】
【特許文献】
【００５５】
【特許文献１】特開２０１４−２１２２３号公報
【図１】
2019174676.tif 000003
【図２】
2019174676.tif 000004
【図３】
2019174676.tif 000005
【図４】
2019174676.tif 000006
【図５】
2019174676.tif 000007
【図６】
2019174676.tif 000008
【図７】
2019174676.tif 000009
【図８】
2019174676.tif 000010
【図９】
2019174676.tif 000011
【図１０】
2019174676.tif 000012
【図１１】
2019174676.tif 000013
【図１２】
2019174676.tif 000014
【図１３】
2019174676.tif 000015